(57)【要約】【課題】表示部の分解作業等を含む取扱性を向上し得る撮像装置を提供する。【解決手段】装置本体１に対して結合手段５を介して可動に結合する表示部を具備する。表示部はその筐体２の外装部材３，４を固定する締結部材２１，２２を有すると共に、装置本体１には外装部材３，４の所定部位を遊挿可能とする凹部８を設け、凹部８により表示部の可動範囲を拡開して締結部材２１，２２の操作を可能にする。【選択図】      図２
2006333255.tif 000002
【特許請求の範囲】
【請求項１】
装置本体に対して結合手段を介して可動に結合する表示部を具備した撮像装置であって、
前記表示部はその筐体の外装部材を固定する締結部材を有すると共に、前記装置本体には前記外装部材の所定部位を遊挿可能とする凹部を設け、この凹部により前記表示部の可動範囲を拡開して前記締結部材の操作を可能にしたことを特徴とする撮像装置。
【請求項２】
前記結合手段は前記表示部を開閉及び回転可能に結合するヒンジにより構成され、前記締結部材は前記ヒンジ側に配設されることを特徴とする請求項１に記載の撮像装置。
【請求項３】
前記凹部は、前記装置本体に配設される所定の機能部材の収納部として構成され、装置の通常使用時には閉塞されていることを特徴とする請求項１又は２に記載の撮像装置。
【請求項４】
前記機能部材として、前記表示部に表示される特定データに対するバックアップ用電池を含み、前記凹部は着脱可能な蓋部材により覆われることを特徴とする請求項３に記載の撮像装置。
【請求項５】
前記機能部材として、前記装置本体内の回路基板と接続するコネクタを含み、前記凹部は特定時のみ取り外し可能な蓋部材により覆われることを特徴とする請求項３に記載の撮像装置。
【請求項６】
前記機能部材として、装置の駆動用電池を含み、前記凹部は常態では該駆動用電池により占有されることを特徴とする請求項３に記載の撮像装置。
【請求項７】
撮像部、記録部及び再生部のいずれか１つ、又はそれら複数の組み合わせを有することを特徴とする請求項１〜６のいずれか１項に記載の撮像装置。
【発明の詳細な説明】
【技術分野】
【０００１】
本発明は、装置本体に対してヒンジ手段を介して開閉及び回転可能な表示パネル筐体を有する撮像装置に関するものである。
【背景技術】
【０００２】
従来、動画や静止画撮影を行う撮影装置において、画像等を表示させる表示用パネル筐体は特許文献１や図９〜図１１のように本体筐体１に対して、開閉及び回転可能なヒンジ部材５で結合されていた。また、表示パネル筐体２は表示パネル１７、バックライトユニット１８及び表示バックライト駆動回路基板１９を、前カバー３及び後カバー４で挟み込む構成としている。この前後のカバー３，４を固定する手段として表示パネル筐体２の先端側において後カバー４の爪１４，１５を前カバー３の凹部（不図示）に引っ掛けることにより、また、表示パネル筐体２の根元側においてねじ２１，２２で止めることによってそれぞれ結合する構成が一般的であった。
【０００３】
【特許文献１】特開２００４−２３６１０４号公報
【発明の開示】
【発明が解決しようとする課題】
【０００４】
しかしながら、従来の構成では図９及び図１０に示すように、表示パネル筐体２の根元側で固定されたねじ２１，２２は、表示パネル筐体２の開閉及び回転可能となるいかなる位置でも、ドライバー２０による操作が困難であった。すなわち、ねじ２１，２２の表面を直視する方向（ねじの軸線方向）に沿っては、本体筐体１が障害物となって、ねじ２１，２２を着脱するドライバー２０のビット先端を、ねじ２１の表面の係合溝に噛み合わせることができず、そのままでは表示パネル筐体２を分解することができなかった。
【０００５】
そのため従来では一旦、撮影装置を完成させた後、工場のチェック工程で見つかる生産時不良品、又は撮影装置使用者から依頼される修理品にて、表示パネル筐体２内の表示バックライト駆動回路基板をチェックしたり修理する場合、本体筐体１の外装カバーを分解して行わざるを得なかった。この場合、ヒンジ部材５ごと本体筐体１の外装カバーから分離して（図１１の状態）、前カバー３と後カバー４を結合するねじ２１，２２をはずして分解していた。そのため作業工数が増え、生産時には工数の増加による製品のコストアップになり、修理時には修理時間の増加により修理費用が高額化していた。
【０００６】
本発明はかかる実情に鑑み、特に表示部の分解作業等を含む取扱性を向上し得る撮像装置を提供することを目的とする。
【課題を解決するための手段】
【０００７】
上述の目的を達成するために本発明の撮像装置は、装置本体に対して結合手段を介して可動に結合する表示部を具備した撮像装置であって、前記表示部はその筐体の外装部材を固定する締結部材を有すると共に、前記装置本体には前記外装部材の所定部位を遊挿可能とする凹部を設け、この凹部により前記表示部の可動範囲を拡開して前記締結部材の操作を可能にしたことを特徴とする。
【０００８】
また、本発明の撮像装置において、前記結合手段は前記表示部を開閉及び回転可能に結合するヒンジにより構成され、前記締結部材は前記ヒンジ側に配設されることを特徴とする。
【０００９】
また、本発明の撮像装置において、前記凹部は、前記装置本体に配設される所定の機能部材の収納部として構成され、装置の通常使用時には閉塞されていることを特徴とする。
【００１０】
また、本発明の撮像装置において、前記機能部材として、前記表示部に表示される特定データに対するバックアップ用電池を含み、前記凹部は着脱可能な蓋部材により覆われることを特徴とする。
【００１１】
また、本発明の撮像装置において、前記機能部材として、前記装置本体内の回路基板と接続するコネクタを含み、前記凹部は特定時のみ取り外し可能な蓋部材により覆われることを特徴とする。
【００１２】
また、本発明の撮像装置において、前記機能部材として、装置の駆動用電池を含み、前記凹部は常態では該駆動用電池により占有されることを特徴とする。
【００１３】
また、本発明の撮像装置において、撮像部、記録部及び再生部のいずれか１つ、又はそれら複数の組み合わせを有することを特徴とする。
【発明の効果】
【００１４】
本発明によれば、表示部を装置本体へ収納時、その表示面と相対する装置本体に凹部を設け、表示部が開閉及び回転した所定位置で、表示部筐体の一部が凹部に落ち込む。これにより表示部の回転軸側の側面に設けられた固定用の締結部材が着脱され、製品完成状態でも表示部の外装部材の分解が可能となる。従って、工場のチェック工程で見つかる生産不良品又は撮影装置使用者から依頼される修理品において、表示部を分解するのが極めて容易になった。これにより修理作業性を格段に向上することができると共に生産工数削減され、生産コストを削減することができる。更に、修理時間が短くできることにより、製品の修理費用の低価格化もできる。
【００１５】
また、撮像装置使用時には装置本体の凹部に蓋をすることによって、表示部が開閉及び回転しても、表示部筐体の一部が凹部に落ち込むことがない。このため表示部が装置本体の凹部に引っ掛ることがないので、スムーズな動作が保証され、良好な操作感が実現される。
【発明を実施するための最良の形態】
【００１６】
以下、図面に基づき、本発明による撮像装置の好適な実施の形態を説明する。
（第１の実施形態）
図１から図４は本発明の第１の実施形態を示す図であり、図１は本発明に係る撮影装置において、表示パネル筐体２が本体筐体１のバックアップ電池室に落ち込んでいる状態を示す斜視図、図２は図１の状態の断面図、図３は撮影装置使用時の本体筐体１のバックアップ電池室にバックアップ電池が装填され、蓋がつけられた状態を示す断面図である。図４は本発明に係る撮影装置において、表示パネル筐体２が本体筐体１に収容されている状態を示す斜視図である。
【００１７】
図中、１は撮影装置の本体筐体である。２は表示パネル筐体であり、前カバー３及び後カバー４により外装が構成されている。この前カバー３と後カバー４で形成される筐体内には、表示パネル、バックライトユニット（いずれも図示せず）及び表示バックライト駆動回路基板１９が配置される。前後のカバー３，４を固定する場合、表示パネル筐体２の先端側を、後カバー４の爪１４，１５を前カバー３の凹部（不図示）に引っ掛けることにより、また、表示パネル筐体２の根元側を、ねじ２１，２２で止めることによって結合する。
【００１８】
５は本体筐体１と表示パネル筐体２を結合し、表示パネル筐体２を本体筐体１対して、開閉方向及び回転方向に回転可能にするヒンジ部材、６は時間設定等のデータをバックアップするためのバックアップ電池、７はバックアップ電池６の電気的接続を行う電池基板、８はバックアップ電池６を収納する本体筐体１に設けた凹部、９は凹部８の開口を塞ぐ蓋である。この蓋９はバックアップ電池６が交換可能なように、ユーザーが着脱可能となっている。
【００１９】
上記構成において、撮影装置が工場で完成した後、最終チェック段階において表示パネル筐体２内の表示バックライト駆動回路基板１９の状態を確認する場合の手順で説明する。
例えば、図４のように表示パネル筐体２が本体筐体１に収納された状態から、表示パネル筐体２を本体筐体１から開き方向へ回転させる。表示パネル筐体２で隠されていた本体筐体１の表面が現れたところで、本体筐体１の表面の蓋９を取り外す。この実施形態では、蓋９の取り外し方法の詳細は示していないが、たとえば爪と弾性部材を用いて相互に引っ掛けて固定し、あるいはねじで固定する等の方法をとることができる。
【００２０】
蓋９を外し、凹部８が現れた状態でバックアップ電池６を取り外す。表示パネル筐体２を９０°近く開き、次に回転方向に約９０°回転させる。その状態のまま、表示パネル筐体２を本体筐体１に向かって閉じ方向へ回転させると、表示パネル筐体２の根元側角部が本体筐体１の凹部８に落ち込む。この状態が、図１及び図２に示されている。
【００２１】
そして、図２のようにドライバー２０のビット先端を、ねじ２１の係合溝に正面から噛み合わせて、ねじ２１を取り外す。その後、表示パネル筐体２を一旦、開き方向に回転させて、表示パネル筐体２の根元側角部が凹部８から抜け出した状態にする。この状態で表示パネル筐体２を１８０°反転させ、再度、表示パネル筐体２を本体筐体１に向かって閉じ方向へ回転させる。これにより表示パネル筐体２の反対側の根元側角部が本体筐体１の凹部８に落ち込むので、表示パネル筐体２の根元側のもう一方のねじ２２を取り外すことができる。
【００２２】
このように２個のねじ２１，２２を取り外すことで、表示パネル筐体２の前カバー３を後カバー４に対して根元側から開くことができる。すると、表示パネル筐体２の先端側に設けられた前カバー３の凹部と後カバー４の爪１４，１５の引っ掛かりが外れ、後カバー４が外れる。その状態にすれば、表示バックライト駆動回路基板１９の状態を直に確認可能となる。また通常、ユーザーの使用状態ではバックアップ電池６の蓋９をつけたままなので、上述の手順のような操作を行っても、表示パネル筐体２が凹部８に落ち込むことはない。
【００２３】
上記のように表示パネル筐体２を本体筐体１へ収納時、表示面と相対する本体筐体１側の面に凹部８を設け、表示パネル筐体２が開閉及び回転した所定位置で、表示パネル筐体２の一部が凹部８に落ち込む。これによりドライバー２０のビット先端が、表示パネル筐体２の回転軸側の側面に設けられたねじ２１，２２の係合溝に、干渉されることなく噛み合うことができるため、表示パネル筐体２の固定用のねじ２１，２２を着脱可能となる。
【００２４】
また、本体筐体１の表面の凹部８は、通常使用時には蓋９によって閉塞されているので、表示パネル筐体２が開閉及び回転したどの位置でも、表示パネル筐体２の一部が凹部８に落ち込むことはない。従って、装置使用時には表示パネル筐体２の固定用のねじ２１，２２は、本体筐体１自体が障害物となり、ドライバー２０のビット先端が、ねじ２１，２２の頭の係合溝に噛み合うことができないため、ねじ２１，２２の着脱は不可能となっている。
【００２５】
（第２の実施形態）
図５及び図６は本発明の第２の実施形態を示す図であり、図５は本発明に係る表示パネル筐体２が本体筐体１の制御基板の接続コネクタ配置用凹部に落ち込んでいる状態を示す断面図、図６は撮影装置使用時における本体筐体１の制御基板の接続コネクタ部凹部を、蓋している状態を示す断面図である。
【００２６】
図中、第１の実施形態と同一構成部品には、同一符号を付すものとする。３０は撮影装置の作動を制御する制御回路基板、３１は制御回路基板３０上に設けられたコネクタであり、制御回路基板３０上のデータ書き込み可能素子に対して、外部からデータ書き込みを行うために設けられている。３２はコネクタ３１を外部に接続可能とする本体筐体１の凹部、３３は凹部３２を塞ぐ蓋である。なお、コネクタ３１からデータ書き込みを行うのは、製造工程あるいは撮影装置の修理時のみである。このため蓋３３はそのような特定時のみ取り外し可能であり、従って一般ユーザーが取り外し不可能なように固定されている。
【００２７】
上記構成において、第１の実施形態の場合と同様に撮影装置が工場で完成した後、最終チェック段階において表示パネル筐体２内の表示バックライト駆動回路基板１９の状態を確認する場合、第１の実施形態で示した図４と同様に表示パネル筐体２が、本体筐体１に収納された状態から、表示パネル筐体２を開き方向へ回転させる。表示パネル筐体２で隠されていた本体筐体１の表面が現れたところで、本体筐体１の表面の蓋３３を取り外す。この実施形態では、蓋３３の取り外し方法の詳細は示していないが、蓋３３は例えば両面テープなどで貼り付けて、固定する等の方法をとることができる。
【００２８】
蓋３３を外し、凹部３２が現れた状態で表示パネル筐体２を９０°近く開き、次に回転方向に約９０°回転させる。その状態のまま、表示パネル筐体２を本体筐体１に向かって閉じ方向へ回転させると、表示パネル筐体２の根元側角部が本体筐体１の凹部３２に落ち込む。
【００２９】
そして、ドライバー２０のビット先端を、ねじ２１の係合溝に正面から噛み合わせて、ねじ２１を取り外す。その後、表示パネル筐体２を一旦、開き方向に回転させて、表示パネル筐体２の根元側角部が凹部３２から抜け出した状態にする。この状態で表示パネル筐体２を１８０°回転させ、再度、表示パネル筐体２を本体筐体１に向かって、閉じ方向へ回転させる。これにより表示パネル筐体２の根元側角部が本体筐体１の凹部３２に落ち込むので、表示パネル筐体２の根元側のもう一方のねじ２２を取り外すことができる。
【００３０】
このように２個のねじ２１，２２を取り外すことで、第１の実施形態の場合と同様に後カバー４を取り外し、表示バックライト駆動回路基板１９の状態を直に確認が可能となる。また通常、ユーザーの使用状態では、蓋３３をつけたままなので、上述の手順のような操作を行っても、表示パネル筐体２が凹部３２に落ち込むことはない。
【００３１】
（第３の実施形態）
図７及び図８は本発明の第３の実施形態を示す図であり、図７は本発明の表示パネル筐体２が本体筐体１の制御基板の電源電池装着用凹部に落ち込んでいる状態を示す断面図、図８は撮影装置使用時における電源電池が装填された状態を示す断面図である。
【００３２】
図中、第１の実施形態と同一構成部品には、同一符号を付すものとする。４０は撮影装置の作動源となる電源電池、４１は電源電池４０を装着する本体筐体１の凹部である。
【００３３】
上記構成において、第１及び第２の実施形態の場合と同様に撮影装置が工場で完成した後、最終チェック段階において表示パネル筐体２内の表示バックライト駆動回路基板１９の状態を確認する場合、第１の実施形態で示した図４と同様に表示パネル筐体２が、本体筐体１に収納された状態から、表示パネル筐体２を開き方向へ回転させる。表示パネル筐体２で隠されていた本体筐体１の表面が現れたところで、本体筐体１の表面の電源電池４０を取り外す。この実施形態では、電源電池４０の取り外し方法の詳細は示していないが、例えば電源電池４０を固定する固定部材が設けられ、固定部材を固定位置と固定解除位置の間で作動させて、取り外す等の方法をとることができる。
【００３４】
電源電池４０を外し、凹部４１が現れた状態で表示パネル筐体２を９０°近く開いて、次に回転方向に約９０°回転させる。その状態のまま、表示パネル筐体２を本体筐体１に向かって閉じ方向へ回転させると、表示パネル筐体２の根元側角部が本体筐体１の凹部４１に落ち込む。この状態が、図７に示されている。
【００３５】
そして、図７のようにドライバー２０のビット先端を、ねじ２１の係合溝に正面から噛み合わせて、ねじ２１を取り外す。その後、表示パネル筐体２を一旦、開き方向に回転させて、表示パネル筐体２の根元側角部が凹部４１から抜け出した状態にする。この状態で表示パネル筐体２を１８０°回転させ、再度、表示パネル筐体２を本体筐体１に向かって、閉じ方向へ回転させる。これにより表示パネル筐体２の根元側角部が、本体筐体１の凹部４１に落ち込むので、表示パネル筐体２の根元側のもう一方のねじ２２を取り外すことができる。
【００３６】
第３の実施形態においても、２個のねじ２１，２２を取り外すことで、第１及び第２の実施形態の場合と同様に後カバー４を取り外し、表示バックライト駆動回路基板１９の状態を直に確認が可能となる。また通常、ユーザーの使用状態では、電源電池４０をつけたままなので、上述の手順のような操作を行っても、表示パネル筐体２が凹部４１に落ち込むことはない。
【００３７】
以上本発明の実施形態を説明したが、本発明は各実施形態にのみ限定されるものではなく、本発明の範囲内で適宜変更等が可能である。
例えば凹部は、装置本体に配設される機能部材の収納部として構成される例を説明したが、装置本体内の空きスペースを有効利用して単に凹部のみを設けるだけであってよい。
【図面の簡単な説明】
【００３８】
【図１】本発明の第１の実施形態における表示パネル筐体が本体筐体のバックアップ電池室に落ち込んでいる状態を示す斜視図である。
【図２】本発明の第１の実施形態における表示パネル筐体が本体筐体のバックアップ電池室に落ち込んでいる状態を示す断面図である。
【図３】本発明の第１の実施形態における撮影装置使用時の本体筐体のバックアップ電池室にバックアップ電池が装填され蓋がつけられた状態を示す断面図である。
【図４】本発明の第１の実施形態における撮影装置において表示パネル筐体が本体筐体に収容されている状態を示す斜視図である。
【図５】本発明の第２の実施形態における表示パネル筐体が本体筐体の制御基板の接続コネクタ配置用凹部に落ち込んでいる状態の断面図である。
【図６】本発明の第２の実施形態における撮影装置使用時の本体筐体の制御基板の接続コネクタ部凹部を、蓋部材が閉じている状態を示す断面図である。
【図７】本発明の第３の実施形態における表示パネル筐体が本体筐体の制御基板の電源電池凹部に落ち込んでいる状態を示す断面図である。
【図８】本発明の第3の実施形態における撮影装置使用時の電源電池が装填された状態を示す断面図である。
【図９】従来の表示パネル筐体と本体筐体の関係を示す斜視図である。
【図１０】従来の表示パネル筐体と本体筐体の関係を示す概略断面図である。
【図１１】従来の表示パネル筐体の構成を示す展開斜視図である。
【符号の説明】
【００３９】
１    本体筐体
２    表示パネル筐体
３    前カバー
４    後カバー
５    ヒンジ部材
６    バックアップ電池
７    電池基板
８    凹部
９    蓋
１７    表示パネル
１８    バックライトユニット
１９    表示バックライト駆動回路基板
２０    ドライバー
２１，２２    ねじ
３０    制御回路基板
３１    コネクタ
３２    凹部
３３    蓋
４０    電源電池
４１    凹部
【図１】
2006333255.tif 000003
【図２】
2006333255.tif 000004
【図３】
2006333255.tif 000005
【図４】
2006333255.tif 000006
【図５】
2006333255.tif 000007
【図６】
2006333255.tif 000008
【図７】
2006333255.tif 000009
【図８】
2006333255.tif 000010
【図９】
2006333255.tif 000011
【図１０】
2006333255.tif 000012
【図１１】
2006333255.tif 000013